(57)【要約】【課題】上下多段に横板３の中間部分を中間柱に連結固定し、各横板３の端部３１を支柱１に連結してなる横板型フェンスにおいて、気候変化に伴う熱伸縮を許容して横板３の破損を防止すると共に、横板３の上下間隔の設定を容易にする。【解決手段】  両側に支柱固定時に支柱前面から横板厚の間隙を形成する翼板面部４３を備えた挟持縦杆４と、支柱１に装着した挟持縦杆４の翼板面部４３の背面と支柱１の前面との間に嵌入固定して上下横板間の間隙を決定する駒体５と、挟持縦杆４の前面を被覆する化粧縦板６とからなり、横板３の端部を支柱１の前面と翼板面部４３と駒体５で囲繞された空間内に装着してなる。【選択図】図１
2018154988.tif 000002
【特許請求の範囲】
【請求項１】
上下多段に横板の中間部分を中間柱に連結固定し、各横板の端部を支柱に連結してなる横板型フェンスにおいて、両側に支柱固定時に支柱前面から横板厚の間隙を形成する翼板面部を備えた挟持縦杆と、支柱に装着した挟持縦杆の翼板面部背面と支柱前面との間に嵌入固定して上下横板間の間隙を決定する駒体と、挟持縦杆の前面を被覆する化粧縦板とからなり、横板の端部を支柱前面と翼板面部と駒体で囲繞された空間内に装着してなることを特徴とする横板型フェンス。
【請求項２】
挟持縦杆が、支柱と当接して螺子止め箇所となるに当接底面部と、当接面部の両端の立上面部と、翼板面部とを備えると共に、翼板面部背面に抜け止め突起を設け、駒体に前記抜け止め突起と対応する係止凹部を設けてなる請求項１記載の横板型フェンス。
【請求項３】
駒体が前後二列のビス穴を設け、左右の立上面部に、左右の駒体を前後相違させてビス止め装着する請求項２記載の横板型フェンス。
【請求項４】
駒体が、駒体本体と接続突片を備えた単位駒体を、分離可能に上下に所定数連続して形成したものから、所望単位個数分離したものである請求項３記載の横板型フェンス。
【発明の詳細な説明】
【技術分野】
【０００１】
本発明は、樹脂製（人工木材）や薄金属板等の熱伸縮する材質で形成した横板型フェンスに関するものである。
【背景技術】
【０００２】
横板型フェンスは、適宜間隔で立設した支柱に横板を釘着若しくは螺子止めで、多段に固定してなるものである。しかし樹脂製横板（人工木材）は自然木と相違して、気候の変化による熱伸縮が大きく、横板端部と支柱との固定箇所において割れが生じていた。
【０００３】
この対策として特許文献１には、各横板端部と支柱との連結部分を、各横板端部を覆う形状で上下端に支柱への取付部を設けた取付具を以て連結する手段が開示されている。
【０００４】
また特許文献２には、横板を上下千鳥配置にして支柱と連結し、横板端部は支柱と直接連結せずに上下の横板（中間部分が当該支柱に連結している）で挟むと共に、支柱に装着する縦板で当該横板端部を覆うようにしている。
【先行技術文献】
【特許文献】
【０００５】
【特許文献１】特開２００８−２８０７２４号公報。
【特許文献２】登録実用新案３１８４０１６号公報。
【発明の概要】
【発明が解決しようとする課題】
【０００６】
横板端部を直接支柱に釘打ち・螺子止め等で固定せずに横板張を行う手段として特許文献１及び２に開示されているが、特許文献１記載の取付具を採用すると、上下横板間の間隙が一定になってしまい、変更ができない。
【０００７】
また特許文献２記載の上下隣接横板で上下に挟持する手段は、そのままでは上下横板間に間隙を形成することはできない。
【０００８】
横板の上下間隙はフェンス全体の印象を大きく左右するものであり、施工主の要望にたいして柔軟に対応できることが好ましい。
【０００９】
そこで本発明は、横板の熱伸縮に対応し、且つ横板の上下間隔を容易に変更できる横板型フェンスを提案したものである。
【課題を解決するための手段】
【００１０】
本発明の請求項１記載に係る横板型フェンスは、上下多段に横板の中間部分を中間柱に連結し、各横板の端部を支柱に連結してなる横板型フェンスにおいて、両側に支柱固定時に支柱前面から横板厚の間隙を形成する翼板面部を備えた挟持縦杆と、支柱に装着した挟持縦杆の翼板面部背面と支柱前面との間に嵌入固定して上下横板間の間隙を決定する駒体と、挟持縦杆の前面を被覆する化粧縦板とからなり、横板の端部を支柱前面と翼板面部と駒体で囲繞された空間内に装着してなることを特徴とするものである。
【００１１】
而して左右中間部分を中間柱に連結（左右方向に調製可能に緩孔を穿ってビス止めする）されている横板端部は、支柱前面と翼板面部と駒体で囲繞された空間内に装着されて、上下表裏方向においては確りと移動が阻止され固定されているが、左右方向については遊びがあるので熱伸縮に対しては対応可能となり、割れ（破損）の発生が防止されている。特に横板の上下間隔（隙間）は、駒体の上下幅で定まるものであるから、所望の上下幅を備えた駒体の採用によって横板の横張上下位置を任意に設定することができるものである。
【００１２】
また本発明の請求項２記載に係る横板型フェンスは、前記の横板型フェンスにおいて、挟持縦杆が、支柱と当接して螺子止め箇所となる当接底面部と、当接面部の両端の立上面部と、翼板面部とを備えると共に、翼板面部背面に抜け止め突起を設け、駒体に前記抜け止め突起と対応する係止凹部を設けてなるもので、横板端部を挟持する翼板面部を備えた挟持縦杆は、当接底面部をビス止め又は接着することで支柱に固着でき、立上面部に駒体の側端面を密着させると、抜け止め突起と係止凹部の係止によって駒体が安定して固定される。特に最上位置と最下位置の駒体は、立上面部にビス止めするが、中間配置の駒体は前記の突起と凹部の係止のみで良い。
【００１３】
また本発明の請求項３記載に係る横板型フェンスは、上記の駒体が前後二列のビス穴を設け、左右の立上面部に、左右の駒体を前後相違させてビス止め装着するもので、同一高さに設けられる左右の駒体は何らの支障も無く立上部に装着することができる。
【００１４】
また本発明の請求項４記載に係る横板型フェンスは、更に駒体が、駒体本体と接続突片を備えた単位駒体を、分離可能に上下に所定数連続して形成したものから、所望単位個数分離したものであるもので、挟持縦杆の翼板面部背面と支柱前面との間に嵌入固定する駒体を、所望単位個数分離使用することで、横板の上下間隔（隙間）を単位駒体の上下長の倍数距離で容易に設定することができる。
【発明の効果】
【００１５】
本発明の構成は上記のとおり、横板型フェンスにおいて横板端部を支柱に対して熱伸縮を許容する構成として気候変化に伴う損傷を防止すると共に、駒体を採用して横板の上下間隔を容易に設定することができたものである。
【図面の簡単な説明】
【００１６】
【図１】本発明の実施形態の要部分解斜視図。
【図２】同平面図。
【図３】同要部正面図（一部裁断）。
【図４】同正面図。
【図５】同側面図。
【図６】同駒体の説明図で（イ）は正面図（ロ）は断面図。
【発明を実施するための形態】
【００１７】
次に本発明の実施形態について説明する。横板型フェンスは、所定間隔で立設した支柱１及び中間支柱２に、横板３を上下多段に適宜間隔で固定して所望の範囲に張り巡らして構築しているものである。
【００１８】
支柱１に横板３を連結するための部材は、挟持縦杆４と、駒体５と、化粧縦板６で構成される。
【００１９】
横板３は、中間部分を中間支柱２に釘着、鋲着（ビス螺着）等の手段で直接固定を行い、端部３１は後述する嵌入空間に装着するものである。
【００２０】
挟持縦杆４は、中央に適宜幅で支柱１と当接して螺子止め箇所とする当接面部４１と、当接面部４１の両端から前方に横板３の厚さに対応した長さの立上面部４２と、支柱固定時に支柱１の前面から横板厚の間隙を形成する翼板面部４３とを備えたもので、更に翼板面部４３の背面に抜け止め突起４４を設けてなるものである。
【００２１】
駒体５は、駒本体部５１と三角峰状の突形状とした接続突片部５２を備えた単位駒体５Ａ，５Ｂ・・・・を適宜数（図示例は６個）を、容易に分離できるように接続突片部５２で連続させて形成したブロック体Ａから、所望の単位駒数を分離して使用するもので、各駒本体部５１の前後面には、抜け止め突起４４と対応する係止凹部５３を設け、且つ前後二列のビス穴５４を設けたものである。
【００２２】
化粧縦板６は、挟持縦杆４と略同一の幅及び長さを備えたもので、支柱１に装着した挟持縦杆４を隠蔽するようにしたものである。
【００２３】
而して支柱１における横板３を張り巡らす高さに対応する長さ（高さ）の挟持縦杆４を、支柱１の前面に当接面部４１をビス４５で止めて挟持縦杆４を固定する。
【００２４】
次に最下段横板の支持となる駒体５を支柱１の前面と翼板面部４３の背面の間に挿入して前後二列のビス穴５４の一方を使用してビス５５で立上面部４２に固定する。そして横板３の端部３１を駒体５の上方に差し入れると共に、適宜中間支柱２に固着する。
【００２５】
横板３の一段の組み込みを終えると、当該横板３の上縁位置に再度駒体５を装着（ビス止めは不要）して所定段数まで横板３の張着を行う。
【００２６】
特に駒体５は、図６に示したブロック体Ａから、所望の上下隣接の横板３の装着間隔（上下の隙間）に対する駒数を選択して分離して使用するものであり、使用駒数に応じた一定の隙間を保った横板型フェンスとなるものである。
【００２７】
更に横板３は支柱１を挟んで左右に配置され、それぞれが当該支柱１で連結され、駒体５もそれぞれ左右の同一高さに装着されるが、特にビス止めを必要とする最下位置及び最上位置の駒体５の装着に際しては、ビス穴５４の前後選択で、左右の駒体５を装着するビス５５が互いに邪魔にならない。
【００２８】
横板３を前段装着後に、挟持縦杆４を隠蔽する化粧縦板６を、ビス６１で当接面部４１を貫通して支柱１に固着するものである。
【００２９】
また支柱１及び挟持縦杆４の上方部分には、キャップ体７ａ，７ｂを被冠装着してフェンスを完成させるものである。
【符号の説明】
【００３０】
１      支柱
２      中間支柱
３      横板
３１    端部
４      挟持縦杆
４１    当接面部
４２    立上面部
４３    翼板面部
４４    抜け止め突起
５      駒体
５１    駒本体部
５２    接続突片部
５３    係止凹部
５４    ビス穴
５Ａ，５Ｂ・・・・単位駒体
６      化粧縦板
７ａ，７ｂ    キャップ体
４５，５５，６１    ビス
【図１】
2018154988.tif 000003
【図２】
2018154988.tif 000004
【図３】
2018154988.tif 000005
【図４】
2018154988.tif 000006
【図５】
2018154988.tif 000007
【図６】
2018154988.tif 000008
【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
上下多段に横板の中間部分を中間柱に連結固定し、各横板の端部を支柱に連結してなる横板型フェンスにおいて、支柱と当接して螺子止め箇所となる当接面部、及び当接面部の両端から横板の厚さに対応した長さ突出させた立上面部、及び立上面部の両側に支柱固定時に支柱前面から横板厚の間隙を形成する翼板面部を備えると共に、翼板面部背面に抜け止め突起を設けた挟持縦杆と、前記抜け止め突起と対応する係止凹部を設け、支柱に装着した挟持縦杆の翼板面部背面と支柱前面との間に嵌入固定して上下横板間の間隙を決定する駒体と、挟持縦杆の前面を被覆する化粧縦板からなり、横板の端部を支柱前面と翼板面部と駒体で囲繞された空間内に装着してなることを特徴とする横板型フェンス。
【請求項２】
駒体が前後二列のビス穴を設け、左右の立上面部に、左右の駒体を前後相違させてビス止め装着する請求項１記載の横板型フェンス。
【請求項３】
駒体が、駒体本体と接続突片を備えた単位駒体を、分離可能に上下に所定数連続して形成したものから、所望単位個数分離したものである請求項１又は２記載の横板型フェンス。
【手続補正２】
【補正対象書類名】明細書
【補正対象項目名】００１０
【補正方法】変更
【補正の内容】
【００１０】
本発明の請求項１記載に係る横板型フェンスは、上下多段に横板の中間部分を中間柱に連結固定し、各横板の端部を支柱に連結してなる横板型フェンスにおいて、支柱と当接して螺子止め箇所となる当接面部、及び当接面部の両端から横板の厚さに対応した長さ突出させた立上面部、及び立上面部の両側に支柱固定時に支柱前面から横板厚の間隙を形成する翼板面部を備えると共に、翼板面部背面に抜け止め突起を設けた挟持縦杆と、前記抜け止め突起と対応する係止凹部を設け、支柱に装着した挟持縦杆の翼板面部背面と支柱前面との間に嵌入固定して上下横板間の間隙を決定する駒体と、挟持縦杆の前面を被覆する化粧縦板からなり、横板の端部を支柱前面と翼板面部と駒体で囲繞された空間内に装着してなることを特徴とするものである。
【手続補正３】
【補正対象書類名】明細書
【補正対象項目名】００１２
【補正方法】変更
【補正の内容】
【００１２】
更に挟持縦杆が、支柱と当接して螺子止め箇所となる当接面部と、当接面部の両端の立上面部と、翼板面部とを備えると共に、翼板面部背面に抜け止め突起を設け、駒体に前記抜け止め突起と対応する係止凹部を設けてなるもので、横板端部を挟持する翼板面部を備えた挟持縦杆は、当接面部をビス止め又は接着することで支柱に固着でき、立上面部に駒体の側端面を密着させると、抜け止め突起と係止凹部の係止によって駒体が安定して固定される。特に最上位置と最下位置の駒体は、立上面部にビス止めするが、中間配置の駒体は前記の突起と凹部の係止のみで良い。
【手続補正４】
【補正対象書類名】明細書
【補正対象項目名】００１３
【補正方法】変更
【補正の内容】
【００１３】
また本発明の請求項２記載に係る横板型フェンスは、上記の駒体が前後二列のビス穴を設け、左右の立上面部に、左右の駒体を前後相違させてビス止め装着するもので、同一高さに設けられる左右の駒体は何らの支障も無く立上部に装着することができる。
【手続補正５】
【補正対象書類名】明細書
【補正対象項目名】００１４
【補正方法】変更
【補正の内容】
【００１４】
また本発明の請求項３記載に係る横板型フェンスは、更に駒体が、駒体本体と接続突片を備えた単位駒体を、分離可能に上下に所定数連続して形成したものから、所望単位個数分離するもので、挟持縦杆の翼板面部背面と支柱前面との間に嵌入固定する駒体を、所望単位個数分離使用することで、横板の上下間隔（隙間）を単位駒体の上下長の倍数距離で容易に設定することができる。